(57)【要約】【課題】本発明は、表示装置、表示装置をリモートコントロールする制御装置及びその制御方法を提供することを目的とする。【解決手段】本発明の制御装置は、特定部材と間隔した距離が所定距離より小さい時に感知信号を生成するタッチユニットと、感知信号及び感知信号の強度を検知して感知信号強度情報を生成する検知ユニットと、検知ユニットから送信する感知信号に基づいて位置情報を生成する位置確定ユニットと、表示装置に位置情報を送信することにより、表示装置の対応する位置に指示標識を表示して、表示装置の対応する位置上のアイコンを選択し、表示装置に感知信号強度情報を送信することにより、表示装置は選択したアイコンをクリックするか否かを確定する送信ユニットと、を備える。【選択図】図４
2014067412.tif 000002
【特許請求の範囲】
【請求項１】
複数のアイコンをスクリーンに表示してユーザーにクリックされて対応する機能を実行する表示装置をリモートコントロールする制御装置であって、
特定部材と間隔した距離が所定距離より小さい時に感知信号を生成するタッチユニットと、
前記感知信号及び前記感知信号の強度を検知して感知信号強度情報を生成する検知ユニットと、
前記検知ユニットから送信する前記感知信号に基づいて位置情報を生成する位置確定ユニットと、
前記表示装置に前記位置情報を送信することにより、前記表示装置の対応する位置に指示標識を表示して、前記表示装置の対応する位置上の前記アイコンを選択し、前記表示装置に前記感知信号強度情報を送信することにより、前記表示装置は選択した前記アイコンをクリックするか否かを確定する送信ユニットと、
を備えることを特徴とする制御装置。
【請求項２】
制御装置によってリモートコントロールされる表示装置であって、
前記制御装置は、ユーザーの操作によって感知信号を生成し、且つ前記感知信号に基づいて生成した位置情報及び前記感知信号の強度を検知して生成した感知信号強度情報を前記表示装置に送信し、
前記表示装置は、
複数のアイコンを表示する表示スクリーンと、
前記制御装置からの位置情報及び感知信号強度情報を受信する受信ユニットと、
前記受信ユニットからの位置情報及び所定の位置関係に基づいて、前記表示スクリーン上の対応する位置を計算する位置計算ユニットと、
前記受信ユニットからの感知信号強度情報及び所定の感知信号強度と標識の寸法との間の関係に基づいて標識の寸法を計算し、且つ標識の寸法を計算した寸法に設置して指示標識を生成し、前記指示標識の寸法は前記感知信号強度の変化にしたがって変化する指示ユニットと、
前記指示標識を前記位置計算ユニットによって計算した前記表示スクリーン上の対応する位置に表示して、前記表示スクリーンの対応する位置上のアイコンを選択し、前記感知信号強度に基づいて選択した前記アイコンをクリックする制御ユニットと、
を備えることを特徴とする表示装置。
【請求項３】
前記制御ユニットは、
前記感知信号強度が所定強度に達したか否かを判断し、
もし前記感知信号強度が所定強度に達すると、前記制御ユニットは前記位置計算ユニットによって計算した前記表示スクリーン上の対応する位置にアイコンが設置された否かを判断し、
もし前記表示スクリーン上の対応する位置にアイコンが設置されていると、前記制御ユニットは前記アイコンをクリックして対応する機能を実行すること
を特徴とする請求項２に記載の表示装置。
【請求項４】
前記所定強度は、特定部材が前記制御装置に接触する時に前記制御装置によって生成する感知信号強度であることを特徴とする請求項３に記載の表示装置。
【請求項５】
表示装置をリモートコントロールする制御方法であって、
前記表示装置は制御装置によってリモートコントロールされ、
前記制御装置は、ユーザーの操作によって感知信号を生成し、且つ前記感知信号に基づいて生成した位置情報及び前記感知信号の強度を検知して生成した感知信号強度情報を前記表示装置に送信し、
前記表示装置は複数のアイコンを表示してユーザーにクリックされて対応する機能を実行するステップと、
前記表示装置は前記制御装置からの位置情報及び感知信号強度情報を受信したか否かを判断するステップと、
前記表示装置は前記感知信号強度情報に基づいて指示標識を生成するステップと、
前記表示装置は前記位置情報に基づいて前記表示装置上の対応する位置を計算するステップと、
前記表示装置上の対応する位置に前記指示標識を表示するステップと、
前記感知信号強度が所定強度に達したか否かを判断するステップと、
前記感知信号強度が所定強度に達すると、計算した前記表示装置上の対応する位置にアイコンが設置された否かを判断するステップと、
計算した前記表示装置上の対応する位置にアイコンが設置されていると、前記アイコンをクリックして対応する機能を実行するステップと、
を備えることを特徴とする表示装置をリモートコントロールする制御方法。
【請求項６】
前記表示装置は前記感知信号強度情報に基づいて指示標識を生成するステップは、
前記表示装置は、前記感知信号強度情報及び所定の感知信号強度と標識の寸法との間の関係に基づいて標識の寸法を計算し、前記標識の寸法は前記感知信号強度の変化にしたがって変化するステップと、
前記標識の寸法を計算した寸法に設置して前記指示標識を生成するステップと、
を備えることを特徴とする請求項５に記載の表示装置をリモートコントロールする制御方法。
【発明の詳細な説明】
【技術分野】
【０００１】
本発明は、表示装置に関するものであり、特に表示装置をリモートコントロールする制御装置及びその制御方法に関するものである。
【背景技術】
【０００２】
現在のテレビジョンは、イメージ又はビデオを表示するだけではなく、コンピューティング機能及びゲーム機能も発揮するので、ユーザーとテレビジョンとの間のコミュニケーション頻度は増加しているが、テレビジョンをリモートコントロールする制御装置は依然として大きい変化がない。例えば、テレビジョンに表示された複数のアイコンにおいて、選択されているアイコンとユーザーがクリックしようとするアイコンとの間に他の幾つのアイコンが存在する場合、ユーザーは制御装置の上下移動ボタンを何回か押さなければ目標アイコンをクリックすることができなく、時間を浪費するばかりではなく、使用に不便である。
【発明の概要】
【発明が解決しようとする課題】
【０００３】
本発明の目的は、上記問題を解決することであり、使用に便利である表示装置と表示装置をリモートコントロールする制御装置及びその制御方法とを提供することである。
【課題を解決するための手段】
【０００４】
本発明に係る制御装置は、複数のアイコンを表示してユーザーにクリックされて対応する機能を実行する表示装置をリモートコントロールするために用いられ、本発明の制御装置は、特定部材と間隔した距離が所定距離より小さい時に感知信号を生成するタッチユニットと、感知信号及び感知信号の強度を検知して感知信号強度情報を生成する検知ユニットと、検知ユニットから送信する感知信号に基づいて位置情報を生成する位置確定ユニットと、表示装置に位置情報を送信することにより、表示装置の対応する位置に指示標識を表示して、表示装置の対応する位置上のアイコンを選択し、表示装置に感知信号強度情報を送信することにより、表示装置は選択したアイコンをクリックするか否かを確定する送信ユニットと、を備える。
【０００５】
本発明に係る表示装置は、制御装置によってリモートコントロールされ、制御装置は、ユーザーの操作によって感知信号を生成し、且つ感知信号に基づいて生成した位置情報及び感知信号の強度を検知して生成した感知信号強度情報を表示装置に送信し、本発明の表示装置は、複数のアイコンを表示する表示スクリーンと、制御装置からの位置情報及び感知信号強度情報を受信する受信ユニットと、受信ユニットからの位置情報及び所定の位置関係に基づいて、表示スクリーン上の対応する位置を計算する位置計算ユニットと、受信ユニットからの感知信号強度情報及び所定の感知信号強度と標識の寸法との間の関係に基づいて標識の寸法を計算し、且つ標識の寸法を計算した寸法に設置して指示標識を生成し、指示標識の寸法は感知信号強度の変化にしたがって変化する指示ユニットと、指示標識を位置計算ユニットによって計算した表示スクリーン上の対応する位置に表示して、表示スクリーンに対応する位置上のアイコンを選択し、感知信号強度に基づいて選択したアイコンをクリックする制御ユニットと、を備える。
【０００６】
本発明に係る制御方法は、制御装置によって表示装置をリモートコントロールする制御方法であって、制御装置は、ユーザーの操作によって感知信号を生成し、且つ感知信号に基づいて生成した位置情報及び感知信号の強度を検知して生成した感知信号強度情報を表示装置に送信し、本発明に係る制御方法は、表示装置は複数のアイコンを表示してユーザーにクリックされて対応する機能を実行するステップと、表示装置は制御装置からの位置情報及び感知信号強度情報を受信したか否かを判断するステップと、表示装置は感知信号強度情報に基づいて指示標識を生成するステップと、表示装置は位置情報に基づいて表示装置上の対応する位置を計算するステップと、表示装置上の対応する位置に指示標識を表示するステップと、感知信号強度が所定強度に達したか否かを判断するステップと、感知信号強度が所定強度に達すると、計算した表示装置上の対応する位置にアイコンが設置された否かを判断するステップと、計算した表示装置上の対応する位置にアイコンが設置されていると、アイコンをクリックして対応する機能を実行するステップと、を備える。
【発明の効果】
【０００７】
本発明において、制御装置は表示装置をリモートコントロールすることができ、ユーザーは制御装置に相対して手指を移動するだけで、対応するアイコンを軽快に選択してクリックすることができ、ユーザーと表示装置との間のコミュニケーションを便利に提供する。
【図面の簡単な説明】
【０００８】
【図１】本発明の実施形態に係る表示装置及び表示装置をリモートコントロールする制御装置を示す図である。
【図２】本発明の実施形態に係る表示装置及び制御装置の機能ブロック図である。
【図３】本発明の実施形態に係る表示装置をリモートコントロールする制御方法のフローチャートである。
【図４】本発明の実施形態に係る表示装置をリモートコントロールする制御方法のフローチャートである。
【図５】本発明の実施形態に係る制御装置によって表示装置をリモートコントロールしているところ、表示装置の表示変化を示す図である。
【図６】本発明の実施形態に係る制御装置によって表示装置をリモートコントロールしているところ、表示装置の表示変化を示す図である。
【図７】本発明の実施形態に係る制御装置によって表示装置をリモートコントロールしているところ、表示装置の表示変化を示す図である。
【発明を実施するための形態】
【０００９】
以下、図面を参照して、本発明の実施形態について説明する。
【００１０】
図１を参照すると、表示装置をリモートコントロールするシステム１００は、表示装置１０と、表示装置１０をリモートコントロールする制御装置２０と、を備える。制御装置２０は、赤外線技術、ＲＦ技術、ＷＩＦＩ技術などのような短距離無線通信技術によって表示装置１０と無線で通信する。本実施形態において、表示装置１０はテレビジョンである。他の実施形態において、表示装置１０は、コンピューターなどであることができる。制御装置２０は、タッチリモコン装置であり、特定部材の接触によって制御信号を生成して表示装置１０をリモートコントロールする。
【００１１】
図２を参照すると、制御装置２０は、タッチユニット２１、検知ユニット２２、位置確定ユニット２３及び送信ユニット２４を備える。
【００１２】
タッチユニット２１は、特定部材とタッチユニット２１との間の距離が所定範囲内にある場合に感知信号を生成する。本実施形態において、タッチユニット２１は、キャパシティータッチスクリーン又はキャパシティータッチパネルであることができる。本実施形態において、特定部材はユーザーの手指である。タッチユニット２１とユーザーの手指との間の距離が５ｃｍ以内であると感知信号を生成する。ユーザーの手指がタッチユニット２１に近ければ近いほど感知信号強度も強く、ユーザーの手指がタッチユニット２１に遠ければ遠いほど、感知信号強度も弱い。ユーザーの手指がタッチユニット２１に接触する場合、感知信号強度が最も強い。
【００１３】
検知ユニット２２は、タッチユニット２１が感知信号を生成したか否かを検知し、感知信号を検知した場合、感知信号を位置確定ユニット２３に送信する。検知ユニット２２は、さらに感知信号強度を検知して感知信号強度情報を生成し、且つこの感知信号強度情報を送信ユニット２４に送信する。
【００１４】
位置確定ユニット２３は、感知信号に基づいてタッチユニット２１に相対する手指の位置を確定して位置情報を生成し、且つこの位置情報を送信ユニット２４に送信する。位置情報は、手指所在位置の座標である。
【００１５】
送信ユニット２４は、位置情報及び感知信号強度情報を表示装置１０に送信する。
【００１６】
表示装置１０は、位置計算ユニット１２、指示ユニット１３、制御ユニット１４、表示スクリーン１５及び受信ユニット１６を備える。
【００１７】
受信ユニット１６は、制御装置２０の送信ユニット２４から送信する位置情報及び感知信号強度情報を受信して、位置情報を位置計算ユニット１２に送信し、感知信号強度情報を指示ユニット１３に送信する。
【００１８】
表示スクリーン１５の寸法は、タッチユニット２１の寸法より大きい。表示スクリーン１５には、アイコンＤ１〜Ｄ４（図５〜図７を参照）が表示されている。ユーザーは、アイコンＤ１〜Ｄ４をクリックすることにより、表示装置１０を制御して対応する機能を実行する。表示スクリーン１５上の位置は、タッチユニット２１上の位置とそれぞれに対応する。
【００１９】
位置計算ユニット１２は、受信ユニット１６からの位置情報及び所定の位置関係に基づいて、表示スクリーン１５上の対応する位置を計算する。
【００２０】
指示ユニット１３は、受信ユニット１６からの感知信号強度情報及び所定の感知信号強度と標識の寸法との間の関係に基づいて標識の寸法を計算し、且つ標識の寸法を計算した寸法に設置して指示標識Ｃ（図５〜図７を参照）を生成する。指示標識Ｃは、いかなる形状の図形であることもできる。本実施形態において、感知信号強度が強ければ強いほど、指示標識Ｃの寸法は小さく、感知信号強度が弱ければ弱いほど、指示標識Ｃの寸法は大きい。ユーザーの手指がタッチユニット２１に接触する場合、指示標識Ｃの寸法は最も小さい。他の実施形態において、感知信号強度が強ければ強いほど、指示標識Ｃの寸法は大きく、感知信号強度が弱ければ弱いほど、指示標識Ｃの寸法は小さい。
【００２１】
制御ユニット１４は、指示ユニット１３が生成した指示標識Ｃを位置計算ユニット１２によって計算した表示スクリーン１５上の対応する位置に表示させる。制御ユニット１４は、さらに感知信号強度が所定の強度に達したか否かを判断して、感知信号強度が所定の強度に達すると、位置計算ユニット１２によって計算した表示スクリーン１５上の対応する位置にアイコンが設置されたか否かを判断する。表示スクリーン１５上の対応する位置にアイコンが設置されると、制御ユニット１４はアイコンをクリックして、表示装置１０にこのアイコンに対応する機能を実行させる。本実施形態において、所定の強度はユーザーの手指がタッチユニット２１に接触する時に生成した感知信号強度である。感知信号強度が最も強い時、対応するアイコンはクリックされることができる。
【００２２】
図３及び図４を参照すると、本発明の表示装置をリモートコントロールする制御方法は、以下のステップを備える。
【００２３】
ステップＳ３０１：制御装置が感知信号を生成したか否かを検出する。制御装置が感知信号を生成すると、ステップＳ３０２に入り、制御装置が感知信号を生成しないと、再び検出する。本実施形態において、制御装置は、キャパシティータッチスクリーン又はキャパシティータッチパネルを採用し、ユーザーの手指とタッチスクリーンとの間の距離が５ｃｍ以内であると感知信号を生成する。
【００２４】
ステップＳ３０２：制御装置は感知信号に基づいて位置情報を生成する。
【００２５】
ステップＳ３０３：制御装置は感知信号強度を検知して感知信号強度情報を生成する。本実施形態において、ユーザーの手指がタッチスクリーンから遠ければ遠いほど、感知信号強度は弱い。ユーザーの手指がタッチスクリーンに接触する際、感知信号強度は最も強い。  
【００２６】
ステップＳ３０４：制御装置は位置情報及び感知信号強度情報を表示装置に送信する。位置情報は、表示装置の対応する位置に指示標識を表示するために用いられる。感知信号強度情報は、表示装置の対応する位置上のアイコンをクリックするか否かを確定するために用いられる。
【００２７】
ステップＳ４０１：表示装置は複数のアイコンを表示してユーザーにクリックされて対応する機能を実行する。
【００２８】
ステップＳ４０２：表示装置は制御装置からの位置情報及び感知信号強度情報を受信したか否かを判断する。表示装置は制御装置からの位置情報及び感知信号強度情報を受信すると、ステップＳ４０３に入り、表示装置は制御装置からの位置情報及び感知信号強度情報を受信しないと、再び判断する。
【００２９】
ステップＳ４０３：表示装置は感知信号強度情報及び所定の感知信号強度と標識の寸法との間の関係に基づいて標識の寸法を計算し、且つ標識の寸法を対応する寸法に設置して指示標識を生成する。
【００３０】
ステップＳ４０４：表示装置は位置情報及び所定の位置関係に基づいて表示装置の表示スクリーン上の対応する位置を計算する。
【００３１】
ステップＳ４０５：表示装置は表示スクリーン上の対応する位置に指示標識を表示する。
【００３２】
ステップＳ４０６：表示装置は感知信号強度が所定の強度に達したか否かを判断する。感知信号強度が所定の強度に達すると、ステップＳ４０７に入り、感知信号強度が所定の強度に達しないと、ステップＳ４０２に戻る。所定の強度は、ユーザーの手指がタッチスクリーンに接触する時に生成した感知信号強度である。
【００３３】
ステップＳ４０７：表示装置は表示スクリーン上の対応する位置にアイコンが設置されるか否かを判断する。表示スクリーン上の対応する位置にアイコンが設置されるとステップＳ４０８に入る。表示スクリーン上の対応する位置にアイコンが設置されないと、フローチャートは終了する。
【００３４】
ステップＳ４０８：表示装置は表示スクリーン上の対応する位置に設置されたアイコンをクリックして対応する機能を実行する。
【００３５】
以下、図５〜図７を参照して、表示装置をリモートコントロールするシステム１００及び表示装置をリモートコントロールする方法によって表示装置１０をリモートコントロールする過程を説明する。  
【００３６】
図５は、表示装置１０がメニュー界面を表示する場合、タッチユニット２１に相対するユーザーの手指の位置及び表示スクリーン１５における指示標識Ｃの位置を表示する。表示装置１０のメニュー界面は、制御装置２０のボタンを押圧するか又は表示装置１０をスタートアップする場合に生成して、表示スクリーン１５にアイコンＤ１〜Ｄ４を表示する。ユーザーの手指はタッチユニット２１の第一位置Ａ１と対向し、且つ手指とタッチユニット２１との間の距離は５ｃｍより小さく、対応して表示スクリーン１５の第二位置Ｂ１には指示標識Ｃを表示する。
【００３７】
図６を参照すると、ユーザーがアイコンＤ２をクリックしようとする場合、ユーザーの手指は左上方へ移動して、指示標識ＣがアイコンＤ２に到達するまでに指示標識Ｃも左上方へ移動し、ユーザーの手指はタッチユニット２１の第三位置Ａ２と対向し、且つ手指とタッチユニット２１との間の距離は５ｃｍより小さい。
【００３８】
図７を参照すると、ユーザーの手指がタッチユニット２１の第三位置Ａ２に接触すると、指示標識Ｃの寸法は所定の寸法に変化され、且つアイコンＤ２もクリックされて表示装置１０を制御して対応する機能を実行する。
【００３９】
表示装置をリモートコントロールするシステム１００及び表示装置をリモートコントロールする制御方法によって、制御装置２０は表示装置１０をリモートコントロールすることができ、ユーザーは制御装置２０に相対して手指を移動するだけで、対応するアイコンを軽快に選択してクリックすることができ、ユーザーと表示装置との間のコミュニケーションを便利に提供する。表示装置１０の表示スクリーン１５に表示される指示標識Ｃに基づいて、どのように制御装置２０を操作して対応するアイコンを選択するかを明確することができ、ユーザーは、小さい寸法のタッチスクリーンで操作する場合、大きい寸法の表示スクリーンを操作する効果を体験することができる。
【００４０】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００４１】
１０  表示装置
１２  位置計算ユニット
１３  指示ユニット
１４  制御ユニット
１５  表示スクリーン
１６  受信ユニット
２０  制御装置
２１  タッチユニット
２２  検知ユニット
２３  位置確定ユニット
２４  送信ユニット
Ａ１  第一位置
Ａ２  第三位置
Ｂ１  第二位置
Ｃ  指示標識
Ｄ１〜Ｄ４  アイコン
【図１】
2014067412.tif 000003
【図２】
2014067412.tif 000004
【図３】
2014067412.tif 000005
【図４】
2014067412.tif 000006
【図５】
2014067412.tif 000007
【図６】
2014067412.tif 000008
【図７】
2014067412.tif 000009